(57)【要約】【課題】従来、プレカット瓦の製造方法は、プレカット瓦の製造・葺設・取扱い等の簡便化、容易化と、粉塵、騒音の発生回避に留まっている。従って、プレカット瓦で隅棟等を葺設する場合に発生する雨仕舞の問題があり、またプレカット瓦を基に、現場で隅切落しプレカット粘土瓦を製作する問題、例えば、廃材の取扱い、粉塵・騒音の発生、作業の煩雑化、高所からの瓦・廃材の落下等の問題が残る。【構成】本発明は、焼成粘土瓦を切断して製造したプレカット粘土瓦に、隅切落しを形成し、隅切落しは、屋根に葺き上げ時、他のプレカット粘土瓦又は粘土瓦等の瓦との積層した箇所の一部を切断して構成した隅切落しプレカット粘土瓦である。雨仕舞の向上と、所望する形状、寸法の隅切落しプレカット粘土瓦を確実かつ迅速に製造できる。ウォータージェット切断の場合には、雨仕舞の向上と、粉塵、騒音等のない隅切落しプレカット粘土瓦を提供できる。【選択図】    図１
2004225391.tif 000002
【特許請求の範囲】
【請求項１】
焼成粘土瓦を切断して製造したプレカット粘土瓦に、隅切落しを形成し、この隅切落しは、屋根に葺き上げ時において、他のプレカット粘土瓦又は粘土瓦等の瓦と積層した箇所の一部を切断した構成であることを特徴とする隅切落しプレカット粘土瓦。
【請求項２】
請求項１のプレカット粘土瓦は、このプレカット粘土瓦専用の釘孔を設ける構成とした隅切落しプレカット粘土瓦。
【請求項３】
請求項２に記載の釘孔を、プレカット粘土瓦の製造後に穿孔する構成とした隅切落しプレカット粘土瓦。
【発明の詳細な説明】
【０００１】
【発明の属する技術分野】
この発明は、隅切落しプレカット粘土瓦（瓦屋根を葺くのに、現地で加工を要さない粘土瓦であり、例えば、大棟、棟、又は隅棟、谷等の形状に対応したプレカット粘土瓦を、予め工場で、必要とする枚数を製造し、この粘土瓦の隅を、予め工場で切断して製造した粘土瓦「陶器瓦、磁器瓦等を云う」）に関する。
【０００２】
【従来の技術】
従来、この種のプレカット瓦に関する発明、考案としては、例えば、特開平８−１０９７０８号の瓦及び瓦葺き方法（文献（１）とする）、又は実開平５−９４４３１号の平板瓦のケラバ用部材（文献（２）とする）等がある。しかし、この文献（１）、（２）では、工場生産方式のプレカット瓦であり、従来の工場及び／又は現場において、ダイヤモンドカッター等を利用し製造する際に発生する粉塵、騒音又は現場切断でのプレカット瓦、廃材の落下等の課題解決と、又は瓦葺設作業の簡便化、容易化の達成とを意図する。
【０００３】
【発明が解決しようとする課題】
この文献（１）、（２）は、プレカット瓦の製造・葺設・取扱い等の簡便化、容易化と、又は粉塵、騒音の発生回避に留まっている。従って、プレカット瓦で隅棟等を葺設する場合に発生する雨仕舞の問題が残っているので、図８を基に説明する。この種のプレカット粘土瓦の上（表面）の雨水は、該隅切落しプレカット粘土瓦に沿って、妻方向に流れた場合に、該プレカット粘土瓦の切断箇所より流れ、屋根地を濡らすことになり問題が発生する。
【０００４】
また文献（１）、（２）は、プレカット瓦の形態に留まっている。従って、本発明の意図する隅切落しプレカット粘土瓦を、現場で製作した場合は問題が残っている。例えば、切断による廃材の取扱い、廃材の落下等によるトラブル、又は作業の煩雑化、等を招来すること、また粉塵、騒音の発生等による二次災害があること、等の問題が残る。
【０００５】
【課題を解決するための手段】
請求項１の発明は、雨仕舞の向上と、所望する形状、寸法の隅切落しプレカット粘土瓦を、ウォータージェット切断等を介して確実かつ迅速に製造すること、また簡易及び／又は効率的に製造すること、等を意図する。またウォータージェット切断の場合には、雨仕舞の向上と、粉塵、騒音等の二次公害を発生しない隅切落しプレカット粘土瓦の提供を意図する。
【０００６】
請求項１は、焼成粘土瓦を切断して製造したプレカット粘土瓦に、隅切落しを形成し、この隅切落しは、屋根に葺き上げ時において、他のプレカット粘土瓦又は粘土瓦等の瓦と積層した箇所の一部を切断した構成であることを特徴とする隅切落しプレカット粘土瓦である。
【０００７】
請求項２の発明は、雨仕舞の向上と、耐震・耐風雨に優れた釘止め用の隅切落しプレカット粘土瓦等の提供を意図する。
【０００８】
請求項２は、請求項１のプレカット粘土瓦は、このプレカット粘土瓦専用の釘孔を設ける構成とした隅切落しプレカット粘土瓦である。
【０００９】
請求項３の発明は、請求項１に記載したプレカット粘土瓦に、釘孔を確実、容易かつスムーズに穿孔することを意図する。
【００１０】
請求項３は、請求項２に記載の釘孔を、プレカット粘土瓦の製造後に穿孔する構成とした隅切落しプレカット粘土瓦である。
【００１１】
【発明の実施の形態】
：  図１〜図４の例に示した隅切落しプレカット粘土瓦に関する実施の態様を説明する。例えば、自動又は個別等の瓦製造ラインで製造された焼成粘土瓦を、この瓦製造ラインの一部を構成する搬送ライン、又は個別に設けられた搬送ラインより取出して、ロボット及び／又は人手等を利用して切断位置に移動する。この切断位置に配備したベースの上に配置されている焼成粘土瓦に対して、所望の隅切落しプレカット粘土瓦の寸法に則り、ウォータージェット（切落し手段）の水量（ノズル径、スピード、又はポンプの質力等を利用して）と移動スピードを制御して切断する。
【００１２】
この切断は、焼成粘土瓦の切断箇所における厚み及び／又は長さの一部に繋ぎ部（切断箇所の一部を残す切断）、繋ぎ材等を残して切断し、焼成粘土瓦の全体形状を確保した状態で、ウォータージェット切断を終了する。この焼成粘土瓦の全体形状を確保した状態の切断は、焼成粘土瓦用のベース、本体装置等の切断、破損、故障、又は修理、保管等の回避、又は隅切落しプレカット粘土瓦の取扱い及び／又は廃材の取扱い等の容易化が図れる。また一部を残しての切断は、切断スピードの確保と、焼成粘土瓦の切断枚数の拡充、又はコストの削減と、又は切断機械、瓦製造・搬送ライン等の装置の簡略化、設備投資の低コスト化が図れること等の実益がある。この切断は、状況が許す場合、又は必要不可欠の場合は、ダイヤモンドカッター、金型による手段等を採用する。そして、隅切落しプレカット粘土瓦には、ウォータージェットによる釘孔の穿孔、又は各手段を利用して、隅切落しプレカット粘土瓦に、識別表示（葺設箇所、寸法、形状、対象物件、製造メーカー等の表示）をする。尚、焼成粘土瓦の全体形状を確保した状態で、隅切落しプレカット粘土瓦を成形するには、繋ぎ部を、押圧、打撃、衝撃等の切離作業を介して切落し、少なくとも１枚の隅切落しプレカット粘土瓦を製造する。
【００１３】
この作業により製造された隅切落しプレカット粘土瓦の一例を示したのが、図１（イ）〜図３（イ）であり、この図１（イ）の例では、同図（ロ）に示すように、右隅角を略三角形状に隅を切落す（三角隅切落しとする）。この三角隅切落しの箇所は、積層したプレカット粘土瓦の尻側内方箇所である。この箇所を切断することで、例えば、図４の模式図に示するように隅切落しプレカット粘土瓦の雨水は、該隅切落しプレカット粘土瓦に沿って、妻方向に流れても、この三角隅落し角から、下のプレカット粘土瓦の上（表面）に流下する。従って、従来の如く、プレカット粘土瓦の切断箇所より流れ、屋根地を濡らさず雨仕舞の問題が解消される。また図２（イ）は、プレカット粘土瓦の切断箇所の全体又は略全体（図示せず）を隅切落しとするものであり、変則三角形状に隅を切落す（変則三角隅切落しとする）。この変則三角隅切落しの箇所は、積層したプレカット粘土瓦の尻側内方箇所を一部に含む構造である。この例における雨水の流れは、前述の例に順ずるものであり、雨仕舞の問題は解消される。次に、図３（イ）は、プレカット粘土瓦の右隅角を略方形形状に隅を切落す（方形隅切落しとする）。この方形隅切落しの箇所は、積層したプレカット粘土瓦の尻側内方箇所を切落す構造である。この例においても、雨水の流れは、前述の例に順ずるものであり、雨仕舞の問題は解消される。
【００１４】
【実施例】
以下、本発明の一例を説明する。
【００１５】
１は焼成粘土瓦で、この例では通常、和形と称されている焼成粘土瓦１をもとに説明する。この焼成粘土瓦１は、一例であり、平板瓦、Ｓ瓦等の他の焼成粘土瓦（図示せず）を含む。この焼成粘土瓦１の切断箇所１００に、繋ぎ部１０１を残して切断する。この一体形状を備えた焼成粘土瓦１は、切落し手段を介して切断することで、隅切落しプレカット粘土瓦２が製造される。この隅切落し３の形状は、図１（ロ）〜図３（ロ）の一例があるが、要点は、前記プレカット粘土瓦を屋根に葺き上げ時において、他のプレカット粘土瓦４又は粘土瓦４ａと積層し、かつこの積層した箇所の一部４００を切断して構成することである。図中Ａ１は廃材で、焼成粘土瓦１を切断し、隅切落しプレカット粘土瓦２を製造した後に生ずる。この廃材Ａ１は、対峙方向の葺設等において、前述の隅切落しプレカット粘土瓦２の製造と同じ処理を介して再利用できる。
【００１６】
【発明の効果】
請求項１の発明は、この隅切落しは、屋根に葺き上げ時において、他のプレカット粘土瓦又は粘土瓦等の瓦と積層した箇所の一部を切断した構成であって、結局、この隅切落しが、瓦と積層した部位に位置することを条件とした構成の隅切落しプレカット粘土瓦である。従って、雨仕舞の向上と、所望する形状、寸法の隅切落しプレカット粘土瓦を、ウォータージェット切断等を介して確実かつ迅速に製造できること、また簡易及び／又は効率的に製造できること、等の特徴がある。またウォータージェット切断の場合には、雨仕舞の向上と、粉塵、騒音等の二次公害を発生しない隅切落しプレカット粘土瓦を提供できる実益がある。
【００１７】
請求項２の発明は、請求項１のプレカット粘土瓦は、このプレカット粘土瓦専用の釘孔を設ける構成とした隅切落しプレカット粘土瓦である。従って、雨仕舞の向上と、耐震・耐風雨に優れた釘止め用の隅切落しプレカット粘土瓦等を提供できる。
【００１８】
請求項３の発明は、請求項２に記載の釘孔を、プレカット粘土瓦の製造後に穿孔する構成とした隅切落しプレカット粘土瓦である。従って、請求項１に記載したプレカット粘土瓦に、釘孔を確実、容易かつスムーズに穿孔できる特徴がある。
【図面の簡単な説明】
【図１】本発明の三角隅切落しを備えた隅切落しプレカット粘土瓦（一例である。以下同じ）であって、（イ）は葺設を示す一部を切り欠いた平面図、（ロ）は三角隅切落しを示す図
【図２】本発明の変則三角隅切落しを備えた隅切落しプレカット粘土瓦であって、（イ）は葺設を示す一部を切り欠いた平面図、（ロ）は変則三角切落しを示す図
【図３】本発明の方形隅切落しを備えた隅切落しプレカット粘土瓦であって、（イ）は葺設を示す一部を切り欠いた平面図、（ロ）は変則三角隅切落しを示す図
【図４】図１の例における雨水の流れを示す模式図
【図５】図１の例における隅切落しプレカット粘土瓦と廃材との関係を示した平面図
【図６】図１の例における切落し箇所の一例を示す断面図
【図７】図１の他における例の切落し箇所の一例を示す断面図
【図８】従来のプレカット粘土瓦の一例における雨水の流れを示す模式図
【符号の説明】
１            焼成粘土瓦
１００          切断箇所
１０１          繋ぎ部
Ａ１          廃材
２            隅切落しプレカット粘土瓦
３            隅切落し
４            他のプレカット粘土瓦
４ａ            粘土瓦
４００          積層した箇所の一部
【図１】
2004225391.tif 000003
【図２】
2004225391.tif 000004
【図３】
2004225391.tif 000005
【図４】
2004225391.tif 000006
【図５】
2004225391.tif 000007
【図６】
2004225391.tif 000008
【図７】
2004225391.tif 000009
【図８】
2004225391.tif 000010